(57)【要約】【課題】厳寒期の寒冷地においても優れた低温流動性を示し、定格燃焼量が少なく噴霧油圧が低い油圧噴霧式バーナを搭載している外燃機においても優れた燃焼性を示し、更に、高い得率によるより安定した供給が可能であり、かつより高い発熱量を有することで燃費改善に寄与し得る外燃機用燃料油組成物を提供する。【解決手段】特定の性状を有する重質灯油留分と、特定含有量にて特定性状を有する芳香族系炭化水素油、及び酸化防止剤と、を含有する、次の（１）〜（６）、すなわち、（１）９５容量％留出温度が２７１．０℃以上３００．０℃以下、（２）初留点が１４０．０℃以上、（３）引火点が４０．０℃以上、（４）硫黄分含有量が３質量ｐｐｍ以上１０質量ｐｐｍ以下、（５）曇り点が−２０．０℃以下及び（６）総発熱量が３７，０００（ｋＪ／Ｌ）以上をいずれも満足する外燃機用燃料油組成物、及びその製造方法である。【選択図】なし【特許請求の範囲】
【請求項１】
原油の常圧蒸留により得られる直留留分を水素化脱硫した留分を９０．０容量％以上含む、下記（ａ１）〜（ｅ１）をいずれも満足する重質灯油留分と、下記（ａ２）〜（ｆ２）をいずれも満足する芳香族系炭化水素油と、酸化防止剤と、を含有し、該芳香族系炭化水素油の組成物全量基準の含有量が３．０容量％以上２３．０容量％以下であり、該酸化防止剤の組成物全量基準の含有量が２０質量ｐｐｍ以上１００質量ｐｐｍ以下であり、下記（１）〜（６）をいずれも満足する外燃機用燃料油組成物。
（ａ１）９５容量％留出温度が２７１．０℃以上３００．０℃以下
（ｂ１）初留点が１４０．０℃以上
（ｃ１）引火点が４０．０℃以上
（ｄ１）硫黄分含有量が３質量ｐｐｍ以上１０質量ｐｐｍ以下
（ｅ１）曇り点が−２０．０℃以下
（ａ２）芳香族分含有量が９９．０容量％以上
（ｂ２）硫黄分含有量が０．０１質量％以下
（ｃ２）曇り点が−５０．０℃以下
（ｄ２）３０℃における動粘度が１．６００ｍｍ２／ｓ以下
（ｅ２）１５℃における密度が０．９０００ｇ／ｃｍ３以上
（ｆ２）引火点が５０．０℃以上
（１）９５容量％留出温度が２７１．０℃以上３００．０℃以下
（２）初留点が１４０．０℃以上
（３）引火点が４０．０℃以上
（４）硫黄分含有量が３質量ｐｐｍ以上１０質量ｐｐｍ以下
（５）曇り点が−２０．０℃以下
（６）総発熱量が３７，０００（ｋＪ／Ｌ）以上
【請求項２】
更に、下記（７）〜（１２）から選ばれる少なくとも１つを満足する請求項１に記載の外燃機用燃料油組成物。
（７）石油製品反応試験の結果が中性
（８）水分含有率が０．０１容量％以下
（９）灰分量が０．００１質量％以下
（１０）３０℃における動粘度が１．３００ｍｍ２／ｓ以上１．７００ｍｍ２／ｓ以下
（１１）１５℃における密度が０．８０００ｇ／ｃｍ３以上
（１２）組成物全量基準の飽和分が６０．０容量％以上、オレフィン分が０．３容量％以下、１環芳香族分が３５．０容量％以下、２環芳香族分が５．０容量％以下、及び３環芳香族分が１．５容量％以下
【請求項３】
定格燃焼量が１０．０Ｌ／時間以下かつ噴霧油圧が０．９ＭＰａ以下の油圧噴霧式バーナを搭載した外燃機に用いられる請求項１又は２に記載の外燃機用燃料油組成物。
【請求項４】
原油の常圧蒸留により得られる直留留分を水素化脱硫した留分を９０．０容量％以上含む、下記（ａ１）〜（ｅ１）をいずれも満足する重質灯油留分と、下記（ａ２）〜（ｆ２）をいずれも満足する芳香族系炭化水素油と、酸化防止剤とを、該芳香族系炭化水素油の組成物全量基準の含有量が３．０容量％以上２３．０容量％以下、該酸化防止剤の組成物全量基準の含有量が２０質量ｐｐｍ以上１００質量ｐｐｍ以下となるよう配合する、下記（１）〜（６）をいずれも満足する外燃機用燃料油組成物の製造方法。
（ａ１）９５容量％留出温度が２７１．０℃以上３００．０℃以下
（ｂ１）初留点が１４０．０℃以上
（ｃ１）引火点が４０．０℃以上
（ｄ１）硫黄分含有量が３質量ｐｐｍ以上１０質量ｐｐｍ以下
（ｅ１）曇り点が−２０．０℃以下
（ａ２）芳香族分含有量が９９．０容量％以上
（ｂ２）硫黄分含有量が０．０１質量％以下
（ｃ２）曇り点が−５０．０℃以下
（ｄ２）３０℃における動粘度が１．６００ｍｍ２／ｓ以下
（ｅ２）１５℃における密度が０．９０００ｇ／ｃｍ３以上
（ｆ２）引火点が５０．０℃以上
（１）９５容量％留出温度が２７１．０℃以上３００．０℃以下
（２）初留点が１４０．０℃以上
（３）引火点が４０．０℃以上
（４）硫黄分含有量が３質量ｐｐｍ以上１０質量ｐｐｍ以下
（５）曇り点が−２０．０℃以下
（６）総発熱量が３７，０００（ｋＪ／Ｌ）以上
【発明の詳細な説明】
【技術分野】
【０００１】
本発明は、外燃機用燃料油組成物及びその製造方法に関する。
【背景技術】
【０００２】
ボイラや温風暖房機、工業炉等の外燃機用の燃料油組成物として、主に、灯油（ＪＩＳ  Ｋ  ２２０３）、Ａ重油（ＪＩＳ  Ｋ  ２２０５の１種重油）及びＣ重油（ＪＩＳ  Ｋ  ２２０５の３種重油）が使用されている。
【０００３】
灯油は、硫黄分、窒素分、残留炭素分の含有率が極めて低く、燃焼による環境負荷が小さいという特性を有する。また、低温流動性が優れているため、厳寒期の寒冷地において、定格燃焼量が少なく噴霧油圧が低い油圧噴霧式バーナを搭載している外燃機に用いられても、優れた燃焼性を発揮する。しかし、冬季の寒冷地においては、室内暖房等の灯油需要が多く、安定供給に特段の配慮が必要となる。
Ａ重油は、一般に供給安定性に優れており、かつ、灯油に比較して発熱量が高い長所を有している。しかし、Ａ重油には、寒冷地の厳寒期において、ワックスの析出によるフィルタ閉塞防止のために、設備対応等の配慮が必要になることがある。また、Ａ重油は、定格燃焼量が少なく噴霧油圧が低い油圧噴霧式バーナを搭載している外燃機に使用する場合、燃焼性の改善が必要である。
Ｃ重油は、Ａ重油より高い発熱量を有する。しかし、高粘度であるため、使用時に加熱設備が必要となる等、取り扱いが不便である。また、Ｃ重油は、燃焼性が低いため、定格燃焼量が少なく噴霧油圧が低い油圧噴霧式バーナを搭載している外燃機に使用できず、硫黄分、窒素分及び残留炭素分が高く、環境負荷が大きいという欠点を有している。
【０００４】
冬季における外燃機用燃料油組成物の安定供給に寄与することを目的として、本発明者らは、これまでに、長期貯蔵において優れた安定性を示し、厳寒期の寒冷地においても優れた低温流動性を示し、定格燃焼量が少なく噴霧油圧が低い油圧噴霧式バーナを搭載している外燃機においても優れた燃焼性を示し、高い得率で得られる外燃機用燃料油組成物を提案してきた（特許文献１〜３参照）。
【先行技術文献】
【特許文献】
【０００５】
【特許文献１】特開２００４−１８２７４４号公報
【特許文献２】特開２００４−１８２７４５号公報
【特許文献３】特開２０１７−１１４９４８号公報
【発明の概要】
【発明が解決しようとする課題】
【０００６】
しかしながら、特に冬季における外燃機用燃料油組成物の供給のさらなる安定化とともに、発熱量の向上による燃費改善が望まれるようになっている中、上記特許文献に記載される燃料油組成物では十分に対応できなくなっている。
【０００７】
そこで、本発明は、厳寒期の寒冷地においても優れた低温流動性を示し、定格燃焼量が少なく噴霧油圧が低い油圧噴霧式バーナを搭載している外燃機においても優れた燃焼性を示し、更に、高い得率による安定した供給が可能であり、かつ高い発熱量を有することで燃費改善に寄与し得る外燃機用燃料油組成物を提供することを目的とする。
【課題を解決するための手段】
【０００８】
本発明者らは、上記課題に鑑みて鋭意検討の結果、下記の発明により解決できることを見出した。すなわち、本発明は、下記の構成を有する外燃機用燃料油組成物及びその製造方法を提供するものである。
【０００９】
［１］原油の常圧蒸留により得られる直留留分を水素化脱硫した留分を９０．０容量％以上含む、下記（ａ１）〜（ｅ１）をいずれも満足する重質灯油留分と、下記（ａ２）〜（ｆ２）をいずれも満足する芳香族系炭化水素油と、酸化防止剤と、を含有し、該芳香族系炭化水素油の組成物全量基準の含有量が３．０容量％以上２３．０容量％以下であり、該酸化防止剤の組成物全量基準の含有量が２０質量ｐｐｍ以上１００質量ｐｐｍ以下であり、下記（１）〜（６）をいずれも満足する外燃機用燃料油組成物。
（ａ１）９５容量％留出温度が２７１．０℃以上３００．０℃以下
（ｂ１）初留点が１４０．０℃以上
（ｃ１）引火点が４０．０℃以上
（ｄ１）硫黄分含有量が３質量ｐｐｍ以上１０質量ｐｐｍ以下
（ｅ１）曇り点が−２０．０℃以下
（ａ２）芳香族分含有量が９９．０容量％以上
（ｂ２）硫黄分含有量が０．０１質量％以下
（ｃ２）曇り点が−５０．０℃以下
（ｄ２）３０℃における動粘度が１．６００ｍｍ２／ｓ以下
（ｅ２）１５℃における密度が０．９０００ｇ／ｃｍ３以上
（ｆ２）引火点が５０．０℃以上
（１）９５容量％留出温度が２７１．０℃以上３００．０℃以下
（２）初留点が１４０．０℃以上
（３）引火点が４０．０℃以上
（４）硫黄分含有量が３質量ｐｐｍ以上１０質量ｐｐｍ以下
（５）曇り点が−２０．０以下
（６）総発熱量が３７，０００（ｋＪ／Ｌ）以上
［２］原油の常圧蒸留により得られる直留留分を水素化脱硫した留分を９０．０容量％以上含む、下記（ａ１）〜（ｅ１）をいずれも満足する重質灯油留分と、下記（ａ２）〜（ｆ２）をいずれも満足する芳香族系炭化水素油と、酸化防止剤とを、該芳香族系炭化水素油の組成物全量基準の含有量が３．０容量％以上２３．０容量％以下、該酸化防止剤の組成物全量基準の含有量が２０質量ｐｐｍ以上１００質量ｐｐｍ以下となるよう配合する、下記（１）〜（６）をいずれも満足する外燃機用燃料油組成物の製造方法。
（ａ１）９５容量％留出温度が２７１．０℃以上３００．０℃以下
（ｂ１）初留点が１４０．０℃以上
（ｃ１）引火点が４０．０℃以上
（ｄ１）硫黄分含有量が３質量ｐｐｍ以上１０質量ｐｐｍ以下
（ｅ１）曇り点が−２０．０℃以下
（ａ２）芳香族分含有量が９９．０容量％以上
（ｂ２）硫黄分含有量が０．０１質量％以下
（ｃ２）曇り点が−５０．０℃以下
（ｄ２）３０℃における動粘度が１．６００ｍｍ２／ｓ以下
（ｅ２）１５℃における密度が０．９０００ｇ／ｃｍ３以上
（ｆ２）引火点が５０．０℃以上
（１）９５容量％留出温度が２７１．０℃以上３００．０℃以下
（２）初留点が１４０．０℃以上
（３）引火点が４０．０℃以上
（４）硫黄分含有量が３質量ｐｐｍ以上１０質量ｐｐｍ以下
（５）曇り点が−２０．０℃以下
（６）総発熱量が３７，０００（ｋＪ／Ｌ）以上
【発明の効果】
【００１０】
本発明によれば、厳寒期の寒冷地においても優れた低温流動性を示し、定格燃焼量が少なく噴霧油圧が低い油圧噴霧式バーナを搭載している外燃機においても優れた燃焼性を示し、更に、高い得率による安定した供給が可能であり、かつ高い発熱量を有することで燃費改善に寄与し得る外燃機用燃料油組成物を提供することができる。
【発明を実施するための形態】
【００１１】
以下、本発明の実施形態（以後、単に「本実施形態」と称する場合がある。）に係る外燃機用燃料油組成物、及びその製造方法について具体的に説明する。なお、本明細書中において、数値範囲の記載に関する「以下」、「以上」及び「〜」に係る数値は任意に組み合わせできる数値であり、また実施例の数値は上限値又は下限値として用いられ得る数値である。
【００１２】
〔外燃機用燃料油組成物〕
本実施形態の外燃機用燃料油組成物は、原油の常圧蒸留により得られる直留留分を水素化脱硫した留分を９０．０容量％以上含む、特定性状を有する重質灯油留分と、特定性状を有する芳香族系炭化水素油と、酸化防止剤と、を含有し、該芳香族系炭化水素油の組成物全量基準の含有量が３容量％以上２３容量％以下であり、該酸化防止剤の組成物全量基準の含有量が２０質量ｐｐｍ以上１００質量ｐｐｍ以下であり、下記（１）〜（６）をいずれも満足する、燃料油組成物である。
（１）９５容量％留出温度が２７１．０℃以上３００．０℃以下
（２）初留点が１４０．０℃以上
（３）引火点が４０．０℃以上
（４）硫黄分含有量が３質量ｐｐｍ以上１０質量ｐｐｍ以下
（５）曇り点が−２０．０℃以下
（６）総発熱量が３７，０００（ｋＪ／Ｌ）以上
【００１３】
（外燃機用燃料油組成物の組成及び性状）
本実施形態の外燃機用燃料油組成物は、以下の（１）〜（６）で規定された組成及び性状をいずれも満足する。
（１）９５容量％留出温度
本実施形態の外燃機用燃料油組成物の９５容量％留出温度は、２７１．０℃以上３００．０℃以下である。９５容量％留出温度が上記範囲内にないと、優れた得率が得られない。外燃機用燃料油組成物の９５容量％留出温度が２７１．０℃以上であると、灯油の９５容量％留出温度（２７０℃以下）よりも高くなることから、沸点範囲は灯油の沸点範囲よりも広くなるので、優れた得率が得られる。本実施形態の外燃機用燃料油組成物の９５容量％留出温度は、構成成分となる留分の９５容量％留出温度に左右されることとなる。本実施形態においては、９５容量％留出温度が２７１．０℃以上３００．０℃以下と、灯油の沸点範囲よりも広く、原油からの得率が灯油よりも高い直留留分を水素化脱硫した留分を９０．０容量％以上含む重質灯油留分を必須成分として用いることにより、結果として本実施形態の外燃機用燃料油組成物の得率を高くすることが可能となった。
得率を向上させる観点から、９５容量％留出温度は、好ましくは２７３．０℃以上、より好ましくは２７５．０℃以上であり、上限として好ましくは２９０．０℃以下、より好ましくは２８５．０℃以下である。
本明細書において、９５容量％留出温度、また後述する初留点、終点は、ＪＩＳ  Ｋ２２５４：１９９８（石油製品−蒸留試験方法−）に準じて測定される値である。
【００１４】
（２）初留点
本実施形態の外燃機用燃料油組成物の初留点は、１４０．０℃以上である。初留点が上記範囲にないと、取り扱い上の安全性が低下する。取り扱い上の安全性の向上の観点から、好ましくは１４３．０℃以上、より好ましくは１４５．０℃以上であり、上限としては、得率を向上させる観点から、好ましくは１６０．０℃以下であり、より好ましくは１５５．０℃以下である。
【００１５】
（３）引火点
本実施形態の外燃機用燃料油組成物の引火点は、４０．０℃以上である。引火点が４０．０℃以上でないと、取り扱い上の安全性が低下する。取り扱い上の安全性の向上の観点から、引火点は、好ましくは４２．０℃以上、より好ましくは４５．０℃以上、更に好ましくは４８．０℃以上である。
本明細書において、引火点は、ＪＩＳ  Ｋ  ２２６５−１：２００７（原油及び石油製品−引火点試験方法−  第１部：タグ密閉法）に準じて測定される値である。
【００１６】
（４）硫黄分含有量
本実施形態の外燃機用燃料油組成物の硫黄分含有量は、３質量ｐｐｍ以上１０質量ｐｐｍ以下である。硫黄分含有量が上記範囲内にないと、貯蔵安定性の維持が困難となり、排ガス中の硫黄酸化物の上昇により腐食が生じる場合がある。貯蔵安定性を向上させ、腐食の発生を抑制する観点から、硫黄分含有量は、好ましくは８．０質量ｐｐｍ以下、より好ましくは６．０質量ｐｐｍ以下であり、下限として好ましくは４．０質量ｐｐｍ以上である。
本明細書において、硫黄分含有量は、ＪＩＳ  Ｋ２５４１−７：２００３（原油及び石油製品−硫黄分試験方法−  第７部：波長分散蛍光Ｘ線法）に準じて測定される値である。
【００１７】
（５）曇り点
本実施形態の外燃機用燃料油組成物の曇り点は、−２０．０℃以下である。曇り点が上記範囲内にないと、低温流動性が低下し、析出ワックスによるフィルタ目詰まりが生じやすくなり、保温等の設備対応が必要となる。寒冷地の厳冬期における低温流動性の向上によりフィルタ目詰まりを抑制し、また保温等の設備対応を不要とする観点から、好ましくは−２２．０℃以下、より好ましくは−２３．０℃以下であり、下限として特に制限はないが、通常−４０．０℃以上である。
本明細書において、曇り点は、ＪＩＳ  Ｋ２２６９：１９８７（原油及び石油製品の流動点並びに曇り点試験方法）に準じて測定される値である。
【００１８】
（６）総発熱量
本実施形態の外燃機用燃料油組成物の総発熱量は、３７，０００（ｋＪ／Ｌ）以上である。総発熱量が上記範囲内にないと、燃費が低下し、燃費改善が難しくなる。より燃費改善を図る観点から、総発熱量は、３７，１００（ｋＪ／Ｌ）以上、より好ましくは３７，２００（ｋＪ／Ｌ）以上である。
本明細書において、総発熱量は、ＪＩＳ  Ｋ２２７９：２００３（原油及び石油製品−発熱量試験方法及び計算による推定方法−）に準じて測定し、推定（「６．総発熱量推定方法、６．３  ｅ）１）」に規定される原油、灯油、軽油、Ａ重油及びＢ重油の場合の計算式により推定）される値である。
【００１９】
また、本実施形態の内燃機用燃料油組成物は、上記（１）〜（６）の性状及び組成に加えて、更に以下（７）〜（１２）から選ばれる少なくとも１つを満足することが好ましく、特に以下（７）〜（１２）のいずれも満足することが好ましい。
（７）石油製品反応試験
本実施形態の外燃機用燃料油組成物は、ＪＩＳ  Ｋ  ２２５２：１９９８による石油製品−反応試験の結果が中性であることが好ましい。中性であることにより、本実施形態の外燃機用燃料油組成物が触れる各種機器、例えば、燃料油タンク、配管、ディーゼルエンジン、及び装備しているポンプ等の補機の腐食を防止することができるので、より容易に外燃機の安定運転が可能となる。
【００２０】
（８）水分含有率
本実施形態の外燃機用燃料油組成物の水分含有率は、０．０１容量％以下であることが好ましい。水分含有率が上記範囲内であると、貯蔵安定性の低下（アスファルテンと水のエマルジョンによるスラッジ生成）、氷結等を抑制し、フィルタの閉塞を防止することができる。
本明細書において、水分含有率は、ＪＩＳ  Ｋ  ２２７５−３：２０１５（原油及び石油製品−水分の求め方−  第３部：カールフィッシャー式電量滴定法）に準じて測定される値である。
【００２１】
（９）灰分量
本実施形態の外燃機用燃料油組成物の灰分量は、０．００１質量％以下であることが好ましい。灰分量が上記範囲内であると、バーナチップの摩耗をより抑制することができ、排ガスによる環境負荷の低減を図ることができる。
本明細書において、灰分量は、ＪＩＳ  Ｋ  ２２７２：１９９８（原油及び石油製品−灰分及び硫酸灰分試験方法−）に準じて測定される値である。
【００２２】
（１０）３０℃における動粘度
本実施形態の外燃機用燃料油組成物の３０℃における動粘度は、好ましくは１．３００ｍｍ２／ｓ以上、より好ましくは１．３５０ｍｍ２／ｓ以上、さらに好ましくは１．３７５ｍｍ２／ｓ以上であり、上限として好ましくは１．７００ｍｍ２／ｓ以下、より好ましくは１．６００ｍｍ２／ｓ以下、更に好ましくは１．５００ｍｍ２／ｓ以下である。３０℃における動粘度が上記範囲内であると、ポンプ及び流量計等の各種機器の仕様範囲に外燃機用燃料油組成物を適合させやすくなり、また燃焼性が向上する。
本明細書において、３０℃における動粘度は、ＪＩＳ  Ｋ  ２２８３：２０００（原油及び石油製品の動粘度試験方法）に準じて測定される値である。
【００２３】
（１１）１５℃における密度
本実施形態の外燃機用燃料油組成物の１５℃における密度は、好ましくは０．８０００ｇ／ｃｍ３以上、より好ましくは０．８０２０ｇ／ｃｍ３以上、更に好ましくは０．８０５０ｇ／ｃｍ３以上、より更に好ましくは０．８１００ｇ／ｃｍ３以上であり、上限として好ましくは０．８２００ｇ／ｃｍ３以下、より好ましくは０．８１９０ｇ／ｃｍ３以下、更に好ましくは０．８１５０ｇ／ｃｍ３以下である。１５℃における密度が上記範囲内であると、得率が向上し、また燃焼性も向上する。
本明細書において、１５℃における密度は、ＪＩＳ  Ｋ  ２２４９−１：２０１１（原油及び石油製品−密度の求め方−  第１部：振動法）に準じて測定される値である。
【００２４】
（１２）組成
本実施形態の外燃機用燃料油組成物の組成物全量基準の飽和分は、好ましくは６０．０容量％以上、より好ましくは６３．０容量％以上、更に好ましくは６５．０容量％以上であり、上限として好ましくは８５．０容量％以下、より好ましくは８０．０容量％以下、更に好ましくは７５．０容量％以下である。オレフィン分は、好ましくは０．３容量％以下、より好ましくは０．１容量％以下である。１環芳香族分は、好ましくは３５．０容量％以下、より好ましくは３１．０容量％以下、更に好ましくは２８．５容量％以下であり、下限として好ましくは１８．０容量％以上、より好ましくは２１．５容量％以上である。２環芳香族分は、好ましくは５．０容量％以下、より好ましくは３．０容量％以下、更に好ましくは２．０容量％以下であり、下限としては特に制限はないが、通常１．０容量％以上である。また、３環芳香族分は、好ましくは１．５容量％以下、より好ましくは１．３容量％以下、更に好ましくは０．９容量％以下であり下限としては特に制限はないが、通常０．４容量％以上である。これらの成分の含有量が上記範囲内にあると、特に燃焼性が向上する。
本明細書において、上記の飽和分、オレフィン分、１環芳香族分、２環芳香族分及び３環芳香族分は、ＪＰＩ−５Ｓ−４９−２００７に規定される、石油製品−炭化水素タイプ試験方法−高速液体クロマトグラフィー法（Ｈｉｇｈ  Ｐｅｒｆｏｒｍａｎｃｅ  Ｌｉｑｕｉｄ  Ｃｈｒｏｍａｔｏｇｒａｐｈｙ法）により測定される値である。
【００２５】
（重質灯油留分）
本実施形態の外燃機用燃料油組成物は、原油の常圧蒸留により得られる直留留分を水素化脱硫した留分（以下、「水素化脱硫留分」と称することがある。）を９０．０容量％以上含む、下記（ａ１）〜（ｅ１）をいずれも満足する重質灯油留分を含有する。上記重質灯油留分を含有しないと、優れた低温流動性、燃焼性は得られず、更に、高い得率による安定した供給ができず、かつ高い発熱量による燃費改善を図り得る、本実施形態の外燃機用燃料油組成物は得られない。
（ａ１）９５容量％留出温度が２７１．０℃以上３００．０℃以下
（ｂ１）初留点が１４０．０℃以上
（ｃ１）引火点が４０．０℃以上
（ｄ１）硫黄分含有量が３質量ｐｐｍ以上１０質量ｐｐｍ以下
（ｅ１）曇り点が−２０．０℃以下
【００２６】
上記直留留分を水素化脱硫して水素化脱硫留分を得る際の、水素化脱硫条件は、例えば、以下のとおりである。以下の水素化脱硫条件とすることで、より容易に水素化脱硫留分が得られる。
反応温度；２５０℃以上３９０℃以下、好ましくは３００℃以上３５０℃以下
水素分圧；１．０ＭＰa以上１０．０ＭＰa以下、好ましくは２．０ＭＰａ以上５．０ＭＰa以下
水素/原料油比；５０Ｎｍ３／ｋＬ以上５００Ｎｍ３／ｋＬ以下、好ましくは１００Ｎｍ３／ｋＬ以上３００Ｎｍ３／ｋＬ以下、
液空間速度；０．１ｈｒ−１以上１０．０ｈｒ−１以下、好ましくは１．０ｈｒ−１以上８．０ｈｒ−１以下
【００２７】
（ａ１）９５容量％留出温度
本実施形態で用いられる重質灯油留分の９５容量％留出温度は２７１．０℃以上３００．０℃以下である。上記のとおり、９５容量％留出温度が上記範囲であり、灯油よりも沸点範囲が広い重質灯油留分を用いることにより、結果として本実施形態の外燃機用燃料油組成物の得率を向上させることができる。９５容量％留出温度は、得率を向上させる観点から、好ましくは２７３．０℃以上、より好ましくは２７５．０℃以上であり、上限として好ましくは２９０．０℃以下、より好ましくは２８０．０℃以下である。
【００２８】
（ｂ１）初留点
本実施形態で用いられる重質灯油留分の初留点は、１４０．０℃以上である。初留点が上記範囲にないと、取り扱い上の安全性が低下する。取り扱い上の安全性の向上の観点から、好ましくは１４３．０℃以上、より好ましくは１４５．０℃以上であり、上限としては、得率を向上させる観点から、好ましくは１６０．０℃以下であり、より好ましくは１５５．０℃以下である。
【００２９】
（ｃ１）引火点
本実施形態で用いられる重質灯油留分の引火点は、４０．０℃以上である。引火点が上記範囲にないと、取り扱い上の安全性が低下する。取り扱い上の安全性の向上の観点から、引火点は、好ましくは４２．０℃以上、より好ましくは４５．０℃以上である。
【００３０】
（ｄ１）硫黄分含有量
本実施形態で用いられる重質灯油留分の硫黄分含有量は、３質量ｐｐｍ以上１０質量ｐｐｍ以下である。硫黄分含有量が上記範囲内にないと、貯蔵安定性の維持が困難となり、排ガス中の硫黄酸化物の上昇により腐食が生じる場合がある。貯蔵安定性を向上させ、腐食の発生を抑制する観点から、硫黄分含有量は、好ましくは８質量ｐｐｍ以下、より好ましくは６質量ｐｐｍ以下であり、下限として好ましくは４質量ｐｐｍ以上である。
【００３１】
（ｅ１）曇り点
本実施形態で用いられる重質灯油留分の曇り点は、−２０．０℃以下である。曇り点が上記範囲内にないと、低温流動性が低下し、析出ワックスによるフィルタ目詰まりが生じやすくなり、保温等の設備対応が必要となる。寒冷地の厳冬期における低温流動性の向上によりフィルタ目詰まりを抑制し、また保温等の設備対応を不要とする観点から、好ましくは−２１．０℃以下であり、下限としては特に制限はないが、通常−４０．０℃以上である。
【００３２】
また、本実施形態で用いられる重質灯油留分は、上記（ａ１）〜（ｅ１）の性状及び組成に加えて、更に以下（ｆ１）〜（ｈ１）から選ばれる少なくとも１つを満足することが好ましく、特に以下（ｆ１）〜（ｈ１）のいずれも満足することが好ましい。
【００３３】
（ｆ１）３０℃における動粘度
本実施形態で用いられる重質灯油留分の３０℃における動粘度は、好ましくは１．３００ｍｍ２／ｓ以上、より好ましくは１．４００ｍｍ２／ｓ以上、さらに好ましくは１．５００ｍｍ２／ｓ以上であり、上限として好ましくは１．７００ｍｍ２／ｓ以下、より好ましくは１．６００ｍｍ２／ｓ以下、更に好ましくは１．５５０ｍｍ２／ｓ以下である。３０℃における動粘度が上記範囲内であると、ポンプ及び流量計等の各種機器の仕様範囲に外燃機用燃料油組成物を適合させやすくなり、また燃焼性が向上する。
【００３４】
（ｇ１）１５℃における密度
本実施形態で用いられる重質灯油留分の１５℃における密度は、好ましくは０．７８９０ｇ／ｃｍ３以上、より好ましくは０．７９２０ｇ／ｃｍ３以上、更に好ましくは０．７９４０ｇ／ｃｍ３以上であり、上限として好ましくは０．７９８０ｇ／ｃｍ３以下、より好ましくは０．７９７０ｇ／ｃｍ３以下である。１５℃における密度が上記範囲内であると、得率が向上し、また燃焼性も向上する。
【００３５】
（ｈ１）組成
本実施形態で用いられる重質灯油留分の組成物全量基準の飽和分は、好ましくは７０．０容量％以上、より好ましくは７５．０容量％以上、更に好ましくは７８．０容量％以上であり、上限として好ましくは９０．０容量％以下、より好ましくは８５．０容量％以下、更に好ましくは８３．０容量％以下である。オレフィン分は、好ましくは０．３容量％以下、より好ましくは０．１容量％以下である。１環芳香族分は好ましくは２５．０容量％以下、より好ましくは２３．０容量％以下、更に好ましくは２０．０容量％以下であり、２環芳香族分は好ましくは３．０容量％以下、より好ましくは２．０容量％以下、更に好ましくは１．０容量％以下であり、３環芳香族分は好ましくは１．０容量％以下、より好ましくは０．８容量％以下、更に好ましくは０．５容量％以下である。これらの成分の含有量が上記範囲内にあると、特に燃焼性が向上する。
【００３６】
（重質灯油留分中の水素化脱硫留分の含有量）
重質灯油留分中の水素化脱硫留分の含有量は９０．０容量％以上である。水素化脱硫留分の含有量が上記範囲内でないと、優れた得率が得られない。より優れた得率を得ることを特に考慮すると、重質灯油留分中の水素化脱硫留分の含有量は、９２．０容量％以上が好ましく、９５．０容量％以上がより好ましく、１００．０容量％、すなわち全量が水素化脱硫留分であることが更に好ましい。
【００３７】
（重質灯油留分が含み得る他の留分）
本実施形態において、重質灯油留分には、水素化脱硫留分の他、他の留分を含んでいてもよい。水素化脱硫留分と組み合わせて用い得る他の留分としては、例えば以下の留分が挙げられる。
（ｉ）原油を常圧蒸留装置で常圧蒸留して得られる軽油留分（「直留軽油留分」とも称する。）を水素化分解した留分
（ｉｉ）原油を常圧蒸留装置で常圧蒸留して得られる残渣留分（「常圧蒸留残渣油」とも称する。）を減圧蒸留装置で減圧蒸留して得られる軽油留分（「減圧軽油留分」とも称する。）を水素化分解した留分
（ｉｉｉ）常圧蒸留残渣油及び／又は減圧蒸留残渣油を直接脱硫装置で脱硫処理して得られる残渣留分を、流動接触分解して得られる軽油留分（「分解軽油留分」とも称する。）を水素化分解して得られる留分
（ｉｖ）常圧蒸留残渣油及び／又は減圧蒸留残渣油を直接脱硫装置で脱硫処理して得られる軽油留分（「直脱軽油留分」とも称する。）を水素化分解して得られる留分
（ｖ）石油化学工場で製造されるパラフィン系の溶剤のうち、硫黄分含有率が１０質量ｐｐｍ以下、かつ沸点範囲が１４０．０℃以上３２０．０℃以下の留分
【００３８】
（重質灯油留分の含有量）
重質灯油留分の組成物全量基準の含有量は、好ましくは７７．０容量％以上、より好ましくは８０．０容量％以上、更に好ましくは８３．０容量％以上であり、上限として好ましくは９７．０容量％以下、より好ましくは９５．０容量％以下、更に好ましくは９２．０容量％以下である。重質灯油留分の含有量が上記範囲内であれば、低温流動性が向上し、燃焼性が向上し、定格燃焼量が少なく噴霧油圧が低い油圧噴霧式バーナを搭載している外燃機の燃料油組成物としてより適するものとなり、また高い得率によるより安定した供給が可能となり、かつより高い発熱量を有することで燃費改善に寄与し得るものとなる。
【００３９】
（芳香族系炭化水素油）
本実施形態の外燃機用燃料油組成物は、下記（ａ２）〜（ｆ２）をいずれも満足する芳香族系炭化水素油を、組成物全量基準の含有量として３．０容量％以上２３．０容量％以下の範囲で含有する。上記芳香族系炭化水素油を上記含有量で含有しないと、優れた低温流動性、燃焼性は得られず、更に、高い得率による安定した供給ができず、かつ高い発熱量による燃費改善を図り得る、本実施形態の外燃機用燃料油組成物は得られない。
（ａ２）芳香族分含有量が９９．０容量％以上
（ｂ２）硫黄分含有量が０．０１質量％以下
（ｃ２）曇り点が−５０．０℃以下
（ｄ２）３０℃における動粘度が１．６００ｍｍ２／ｓ以下
（ｅ２）１５℃における密度が０．９０００ｇ／ｃｍ３以上
（ｆ２）引火点が５０．０℃以上
【００４０】
（ａ２）芳香族分含有量
本実施形態で用いられる芳香族系炭化水素油の芳香族分含有量は、９９．０容量％以上である。ここで、芳香族分含有量は、１環芳香族分、２環芳香族分及び３環以上の芳香族分の合計含有量のことである。芳香族分含有量が上記範囲内にないと、優れた燃焼性が得られない。より優れた燃焼性を得る観点から、芳香族分含有量は好ましくは９９．５容量％以上、より好ましくは９９．９容量％以上である。
また、上記芳香族分のうち、３環以上の芳香族分の含有量は、好ましくは５．０容量％以下、より好ましくは４．５容量％以下である。３環以上の芳香族分の含有量が上記範囲内であると、より優れた燃焼性が得られる。
【００４１】
（ｂ２）硫黄分含有量
本実施形態で用いられる芳香族系炭化水素油の硫黄分含有量は、０．０１質量％以下（１００質量ｐｐｍ以下）である。硫黄分含有量が０．０１質量％以下でないと、排ガス中の硫黄酸化物の上昇により腐食が生じる場合がある。貯蔵安定性を向上させ、腐食の発生を抑制する観点から、芳香族系炭化水素油の硫黄分含有量は、好ましくは１０質量ｐｐｍ以下、より好ましくは１質量ｐｐｍ以下である。
【００４２】
（ｃ２）曇り点
本実施形態で用いられる芳香族系炭化水素油の曇り点は、−５０．０℃以下である。曇り点が上記範囲内にないと、低温流動性が低下し、析出ワックスによるフィルタ目詰まりが生じやすくなり、保温等の設備対応が必要となる。
【００４３】
（ｄ２）３０℃における動粘度
本実施形態で用いられる芳香族系炭化水素油の３０℃における動粘度は、１．６００ｍｍ２／ｓ以下である。３０℃における動粘度が上記範囲内でないと、優れた燃焼性が得られず、また、ポンプ及び流量計等の各種機器の仕様範囲に外燃機用燃料油組成物を適合しにくくなる。燃焼性を向上させ、またポンプ及び流量計等の各種機器の仕様範囲に外燃機用燃料油組成物を適合させやすくする観点から、芳香族系炭化水素油の３０℃における動粘度は、好ましくは１．３００ｍｍ２／ｓ以下、より好ましくは１．２００ｍｍ２／ｓ以下、更に好ましくは１．１００ｍｍ２／ｓ以下であり、下限として好ましくは１．０００ｍｍ２／ｓ以上である。
【００４４】
（ｅ２）１５℃における密度
本実施形態で用いられる芳香族系炭化水素油の１５℃における密度は、０．９０００ｇ／ｃｍ３以上である。１５℃における密度が上記範囲内でないと、発熱量向上による燃費改善の効果が得られない。燃費を向上させ、燃焼性も向上させる観点から、芳香族系炭化水素油の１５℃における密度は、好ましくは０．９０１０ｇ／ｃｍ３以上であり、上限として好ましくは０．９５００ｇ／ｃｍ３以下である。
【００４５】
（ｆ２）引火点
本実施形態で用いられる芳香族系炭化水素油の引火点は、５０．０℃以上である。引火点が上記範囲にないと、取り扱い上の安全性が低下する。取り扱い上の安全性の向上の観点から、引火点は、好ましくは５２．０℃以上である。
【００４６】
また、本実施形態で用いられる重質灯油留分は、上記（ａ２）〜（ｆ２）の性状及び組成に加えて、更に以下（ｇ２）〜（ｉ２）から選ばれる少なくとも１つを満足することが好ましく、特に以下（ｇ２）〜（ｉ２）のいずれも満足することが好ましい。
【００４７】
（ｇ２）初留点
本実施形態で用いられる芳香族系炭化水素油の初留点は、取り扱い上の安全性の向上の観点から、好ましくは１４０．０℃以上、より好ましくは１５０．０℃以上、更に好ましくは１６０．０℃以上であり、上限としては、得率を向上させる観点から、好ましくは１７０．０℃以下であり、より好ましくは１６５．０℃以下である。
【００４８】
（ｈ２）終点
本実施形態で用いられる芳香族系炭化水素油の終点は、得率の向上の観点から、好ましくは２９０．０℃以上、より好ましくは３００．０℃以上、更に好ましくは３１０．０℃以上であり、燃焼性の向上を考慮すると、上限として好ましくは３５０．０℃以下、より好ましくは３３０．０℃以下、更に好ましくは３２０．０℃以下である。
【００４９】
（ｉ２）組成
本実施形態で用いられる芳香族系炭化水素油の組成物全量基準の炭素数９の芳香族分は、より優れた燃焼性を得る観点から、好ましくは５０．０容量％以上、より好ましくは５５．０容量％以上、更に好ましくは６０．０容量％以上であり、上限として好ましくは７０．０容量％以下、より好ましくは６８．０容量％以下、更に好ましくは６５．０容量％以下である。炭素数１０の芳香族分は、より優れた燃焼性を得る観点から、好ましくは２０．０容量％以上、より好ましくは２５．０容量％以上、更に好ましくは３０．０容量％以上であり、上限として好ましくは４０．０容量％以下、より好ましくは３８．０容量％以下、更に好ましくは３５．０容量％以下である。また、炭素数１１以上の芳香族分は、より優れた燃焼性を得る観点から、好ましくは１０．０容量％以下、より好ましくは９．０容量％以上、更に好ましくは８．０容量％以下であり、下限としては特に制限はなく、通常１．５容量％以上である。
本明細書において、上記の炭素数９の芳香族分、炭素数１０の芳香族分及び炭素数１１以上の芳香族分は、ＪＩＳ  Ｋ  ２５３６−２「石油製品−成分試験方法−第２部：ガスクロマトグラフィーによる全成分の求め方」により測定される値である。
【００５０】
本実施形態で用いられる芳香族系炭化水素油は、例えば、ナフサ接触改質装置から生成される芳香族分のうち、軽質なベンゼン、トルエン、キシレン等の１環芳香族（単環芳香族）成分、炭素数が９である芳香族分の一部を分留（抽出）し、ガソリン基材、石油化学基材とした後、分留して得られるものである。よって、芳香族系炭化水素油は、炭素数９の１環芳香族の他、ナフタレン等の２環芳香族、フェナントレン等の３環芳香族等の多環芳香族が含まれるものである。
【００５１】
（芳香族系炭化水素油の含有量）
芳香族系炭化水素油の組成物全量基準の含有量は、３．０容量％以上２３．０容量％以下である。低温流動性、燃焼性を向上させて、定格燃焼量が少なく噴霧油圧が低い油圧噴霧式バーナを搭載している外燃機の燃料油組成物としてより適するものとし、また高い得率によるより安定した供給が可能となり、かつより高い発熱量を有することで燃費改善に寄与し得る観点から、芳香族系炭化水素油の組成物全量基準の含有量は、好ましくは５．０容量％以上、より好ましくは７．５容量％以上であり、上限として好ましくは２０．０容量％以下、より好ましくは１７．５容量％以下である。
【００５２】
（酸化防止剤）
本実施形態の外燃機用燃料油組成物は、酸化防止剤を、組成物全量基準の含有量として２０質量ｐｐｍ以上１００質量ｐｐｍ以下の範囲で含む。上記酸化防止剤を上記含有量で含有しないと、貯蔵安定性が低下し、燃焼性が低下する場合がある。
酸化防止剤の組成物全量基準の含有量は、効率的に、貯蔵安定性を向上させ、燃焼性を向上させる観点から、好ましくは２５質量ｐｐｍ以上、より好ましくは３０質量ｐｐｍ以上であり、上限として好ましくは８０質量ｐｐｍ以下、より好ましくは６０質量ｐｐｍ以下である。
【００５３】
本実施形態で用いられる酸化防止剤としては、燃料油組成物に汎用されるものであれば特に制限なく用いることができ、例えば、フェノール系酸化防止剤、アミン系酸化防止剤等の酸化防止剤が好ましく挙げられる。また、本実施形態においては、酸化防止剤は一種単独で、又は複数種を組み合わせて用いることができる。
【００５４】
フェノール系酸化防止剤としては、２，６−ジ−ｔｅｒｔ−ブチル−４−メチルフェノール、２，４−ジメチル−６−ｔｅｒｔ−ブチルフェノール、２，６−ジ−ｔｅｒｔ−ブチルフェノール、２，４，６−トリ−ｔｅｒｔ−ブチルフェノール、２，６−ジ−ｔｅｒｔ−ブチル−４−（Ｎ，Ｎ−ジメチルアミノメチル）フェノール等の単環のｔｅｒｔ−アルキルフェノール系酸化防止剤；４，４’−メチレンビス（２，６−ジ−ｔｅｒｔ−ブチルフェノール）、４，４’−イソプロピリデンビス（２，６−ジ−ｔｅｒｔ−ブチルフェノール）、２，２’−メチレンビス（４−メチル−６−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレンビス（４−エチル−６−ｔｅｒｔ−ブチルフェノール）、４，４’−ブチリデンビス（３−メチル−６−ｔｅｒｔ−ブチルフェノール）等の多環のｔｅｒｔ−アルキルフェノール系酸化防止剤；等が挙げられる。
【００５５】
アミン系酸化防止剤としては、モノオクチルジフェニルアミン、モノノニルジフェニルアミン等のモノアルキルジフェニルアミン系酸化防止剤；４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミン等のジアルキルジフェニルアミン系酸化防止剤；テトラブチルジフェニルアミン、テトラヘキシルジフェニルアミン、テトラオクチルジフェニルアミン、テトラノニルジフェニルアミン等のポリアルキルジフェニルアミン系酸化防止剤；α−ナフチルアミン、フェニル−α−ナフチルアミン、ブチルフェニル−α−ナフチルアミン等のナフチルアミン系酸化防止剤；等が挙げられる。
【００５６】
本実施形態においては、ｔｅｒｔ−アルキル基を有するフェノール系酸化防止剤が好ましく、ｔｅｒｔ−アルキル基を有する単環のフェノール系酸化防止剤がより好ましく、中でも、２，６−ジ−ｔｅｒｔ−ブチルフェノール、２，４−ジメチル−６−ｔｅｒｔ−ブチルフェノール及び２，６−ジ−ｔｅｒｔ−ブチル−４−メチルフェノールが好ましい。
【００５７】
（他の添加剤）
本実施形態の外燃機用燃料油組成物には、上記の諸性状を維持しうる範囲で、必要に応じ、上記酸化防止剤以外の、他の添加剤として、低温流動性向上剤、潤滑性向上剤、セタン価向上剤、燃焼促進剤、清浄剤、スラッジ分散剤、防カビ剤等の各種添加剤を適宜選択して配合することができる。また、軽油引取税の観点よりクマリンを配合してもよい。
【００５８】
（用途）
本実施形態の外燃機用燃料油組成物は、厳寒期の寒冷地においても優れた低温流動性を示し、定格燃焼量が少なく噴霧油圧が低い油圧噴霧式バーナを搭載している外燃機においても優れた燃焼性を示し、更に、高い得率によるより安定した供給が可能であり、かつより高い発熱量を有することで燃費改善に寄与し得る、という特性を有するものであり、蒸気ボイラ、温水ボイラ、温風暖房機、吸収式冷温水機、及び温水発生機等の外燃機に好適に用いられる。
また、本実施形態の外燃機用燃料油組成物は、上記の外燃機の中でも、定格燃焼量が１０．０Ｌ／時間以下かつ噴霧油圧が０．９０ＭＰａ以下、好ましくは定格燃焼量が７．０Ｌ／時間以下かつ噴霧油圧が０．８０ＭＰａ以下、よりに好ましくは定格燃焼量が５．０Ｌ／時間以下かつ噴霧油圧が０．７０ＭＰａ以下の油圧噴霧式バーナを搭載した外燃機に用いると、上記特性が特に発揮される。
【００５９】
〔外燃機用燃料油組成物の製造方法〕
本実施形態の外燃機用燃料油組成物の製造方法は、原油の常圧蒸留により得られる直留留分を水素化脱硫した留分を９０．０容量％以上含む、上記（ａ１）〜（ｅ１）をいずれも満足する重質灯油留分と、上記（ａ２）〜（ｆ２）をいずれも満足する芳香族系炭化水素油と、酸化防止剤とを、該芳香族系炭化水素油の組成物全量基準の含有量が３．０容量％以上２３．０容量％以下、該酸化防止剤の組成物全量基準の含有量が２０質量ｐｐｍ以上１００質量ｐｐｍ以下となるよう配合し、上記（１）〜（６）をいずれも満足する外燃機用燃料油組成物を製造するものである。本実施形態の外燃機用燃料油組成物は、本実施形態の製造方法により容易に製造することができる。
【００６０】
本実施形態の外燃機用燃料油組成物の製造方法において、得られる外燃機用燃料油組成物の性状及び組成、重質灯油留分、芳香族系炭化水素油、酸化防止剤等の態様は、上記の外燃機用燃料油組成物の態様と同様である。
重質灯油留分、芳香族系炭化水素油、酸化防止剤、また必要に応じて用いられる各種添加剤の配合順序は特に制限はなく、例えば、重質灯油留分に、芳香族系炭化水素油、酸化防止剤、各種添加剤を逐次添加して混合してもよいし、酸化防止剤と各種添加剤とを予め混合した後、該混合物と、重質灯油留分と、芳香族系炭化水素油とを混合してもよい。
【実施例】
【００６１】
次に、実施例により本発明をさらに具体的に説明するが、本発明はこれらの例によって何ら制限されるものではない。なお、各基材の性状は、上記のとおり、下記の方法に従って求めた。
【００６２】
〔性状と組成の測定〕
重質灯油留分、芳香族系炭化水素油、燃料油組成物の各種性状及び組成は以下の方法により測定した。
・蒸留性状（初留点、終点及び９５容量％留出温度）：ＪＩＳ  Ｋ２２５４：１９９８（石油製品−蒸留試験方法−）に準じて測定した。
・引火点：ＪＩＳ  Ｋ  ２２６５−１：２００７（原油及び石油製品−引火点試験方法−  第３部：タグ密閉法）に準じて測定した。
・硫黄分含有量：ＪＩＳ  Ｋ２５４１−７：２００３（原油及び石油製品−硫黄分試験方法−  第７部：波長分散蛍光Ｘ線法）に準じて測定した。
・曇り点：ＪＩＳ  Ｋ２２６９：１９８７（原油及び石油製品の流動点並びに曇り点試験方法）に準じて測定した。
・総発熱量：ＪＩＳ  Ｋ２２７９：２００３（原油及び石油製品−発熱量試験方法及び計算による推定方法−）に準じて測定し、推定（「６．総発熱量推定方法、６．３  ｅ）１）」に規定される原油、灯油、軽油、Ａ重油及びＢ重油の場合の計算式により推定）した。
・反応試験：ＪＩＳ  Ｋ  ２２５２：１９９８による石油製品−反応試験により測定した。
・水分含有率：ＪＩＳ  Ｋ  ２２７５−３：２０１５（原油及び石油製品−水分の求め方−  第３部：カールフィッシャー式電量滴定法）に準じて測定した。
・灰分量：ＪＩＳ  Ｋ  ２２７２：１９９８（原油及び石油製品−灰分及び硫酸灰分試験方法−）に準じて測定した。
・３０℃における動粘度：ＪＩＳ  Ｋ  ２２８３：２０００（原油及び石油製品の動粘度試験方法）に準じて測定した。
・１５℃における密度：ＪＩＳ  Ｋ  ２２４９−１：２０１１（原油及び石油製品−密度の求め方−  第１部：振動法）に準じて測定した。
・組成：飽和分、オレフィン分、１環芳香族分、２環芳香族分及び３環芳香族分は、ＪＰＩ−５Ｓ−４９−２００７に規定される、石油製品−炭化水素タイプ試験方法−高速液体クロマトグラフィー法（Ｈｉｇｈ  Ｐｅｒｆｏｒｍａｎｃｅ  Ｌｉｑｕｉｄ  Ｃｈｒｏｍａｔｏｇｒａｐｈｙ法）により測定した。
・炭素数別の芳香族分：炭素数９の芳香族分、炭素数１０の芳香族分及び炭素数１１以上の芳香族分の含有量は、ＪＩＳ  Ｋ  ２５３６−２「石油製品−成分試験方法−第２部：ガスクロマトグラフィーによる全成分の求め方」により測定される値である。
【００６３】
〔性能の評価基準〕
以下の１〜４の各性能の評価を行い、一番悪い評価を総合評価として評価した。Ｅ評価であれば不合格である。
１．燃焼性
（１）評価機種、条件
・評価機種；温風温暖機（「ハウスカオンキ  ＨＫ−１５２７」、ネポン株式会社製、定格燃焼量４．９Ｌ／時間、オンオフ制御）
・燃料噴霧圧；０．６９ＭＰａ（油圧噴霧式バーナ）
・バンドシャッター開度；排ガス酸素濃度を３．０±０．２％になるように調整
・燃料加熱用バーナ前ヒーター；オフ
（２）評価項目
１時間連続燃焼、１５分間消火を１サイクルとして繰り返し、燃焼時間で５００時間燃焼後、下記項目を評価した。
・着火性；目視で着火遅れがないこと
・燃焼性；バッカラッカスモークテスターで排ガス中の煤濃度（バッカラッカスモークナンバー；ＳＮ）を計測
（３）評価基準
Ａ：着火遅れがなく、煤濃度（ＳＮ）が０．５以下
Ｂ：着火遅れがなく、煤濃度（ＳＮ）が０．５超１．０以下
Ｃ：着火遅れがなく、煤濃度（ＳＮ）が１．０超１．５以下
Ｅ：上記以外
【００６４】
２．貯蔵安定性
（１）評価項目
ＡＳＴＭ  Ｄ４６２５に準拠し、４３℃にて６週間暗所貯蔵（室温での概ね６ヵ月貯蔵に相当）を行った後、ドライスラッジ量を全漁連漁船用燃料油規格Ｚ．Ｇ．Ｓ  Ｔ−１０１０に規定の全漁連Ａ重油ドライスラッジ測定法に基づき測定した。
（２）評価基準
Ａ：ドライスラッジが１ｍｇ／１００ｍＬ以下
Ｅ：上記以外
【００６５】
３．低温流動性
（１）評価項目
ＪＰＩ-５Ｓ-４７-９６のＡ重油の低温流動性試験方法基準（実機シミュレート法）に準拠し、通油限界温度を測定した。通油限界温度とは、低温時に析出するワックスにより、フィルタ閉塞が起きなかった最低油温である。通油限界温度未満に油温を低下させると、ワックスによるフィルタ閉塞の可能性が非常に高くなる。
（２）評価基準
Ａ：通油限界温度≦−２０．０℃
Ｅ：上記以外
【００６６】
４．燃費性能
総発熱量に基づき、以下の基準で評価した。
Ａ：総発熱量が３７，４００ｋＪ／Ｌ以上
Ｂ：総発熱量が３７，２００ｋＪ／Ｌ以上
Ｃ：総発熱量が３７，１００ｋＪ／Ｌ以上
Ｄ：総発熱量が３７，０００ｋＪ／Ｌ以上
Ｅ：総発熱量が３７，０００ｋＪ／Ｌ未満
【００６７】
〔重質灯油留分の製造方法〕
原油の常圧蒸留により得られた直留灯油留分を、硫黄分が５質量ｐｐｍになる反応温度（約３４０℃）で水素化脱硫処理し、重質灯油留分とした。
得られた重質灯油留分の性状、組成は上記の基材の評価と同様の方法で行った。その結果を第１表に示す。
【００６８】
〔実施例１〜４、比較例１及び２〕
第１表に示す性状及び組成を有する上記重質灯油留分の製造方法により得られた重質灯油留分と、第１表に示す性状及び組成を有する芳香族系炭化水素油と、を用意した。重質灯油留分、芳香族系炭化水素油及び酸化防止剤（２，６−ジ−ｔｅｒｔ−ブチル−４−メチルフェノール）を、第２表に示す割合で混合し、燃料油組成物を作製した。
得られた各燃料油組成物について、燃焼性、貯蔵安定性、低温流動性、及び燃費性能を下記基準で評価した。結果を第２表に示す。
【００６９】
【表１】
2020083968.tif 000002
【００７０】
【表２】
2020083968.tif 000003
【００７１】
〔性能の評価結果〕
第２表に示されるように、本実施形態の外燃機用燃料油組成物は、燃焼性、貯蔵安定性、低温流動性、燃費性能がいずれも良好であり、厳寒期の寒冷地においても優れた低温流動性を示し、定格燃焼量が少なく噴霧油圧が低い油圧噴霧式バーナを搭載している外燃機においても優れた燃焼性を示し、更に、高い得率によるより安定した供給が可能であり、かつより高い発熱量を有することで燃費改善に寄与し得るものであることが確認された。
一方、芳香族系炭化水素油を含まない比較例１の燃料油組成物は、総発熱量が低いために燃費性能が悪く、芳香族系炭化水素油の含有量が多い比較例２の燃料油組成物は、燃焼性が悪く、厳寒期の寒冷地における定格燃焼量が少なく噴霧油圧が低い油圧噴霧式バーナを搭載している外燃機において優れた燃焼性を示し得るものではなかった。
【産業上の利用可能性】
【００７２】
本実施形態の外燃機用燃料油組成物は、厳寒期の寒冷地においても優れた低温流動性を示し、定格燃焼量が少なく噴霧油圧が低い油圧噴霧式バーナを搭載している外燃機においても優れた燃焼性を示し、更に、高い得率によるより安定した供給が可能であり、かつより高い発熱量を有することで燃費改善に寄与し得るものであり、寒冷地において冬季の需要が非常に多い灯油及び灯油留分の供給不足を解消することができる。
本実施形態の外燃機用燃料油組成物は、蒸気ボイラ、温水ボイラ、温風暖房機、吸収式冷温水機、及び温水発生機等の外燃機に好適に用いられ、特に、定格燃焼量が１０．０Ｌ／時間以下かつ噴霧油圧が０．９０ＭＰａ以下の油圧噴霧式バーナを搭載した、蒸気の外燃機に用いると、上記特性が発揮されるため、特に好適に用いられる。